(57)【要約】【課題】保護部材は、破断した後は針キャップ側にも翼側にも残らず、針キャップの開封時の破断屑の発生がなく、衛生的である保護部材と保護部材を装着した翼付医療用針を提供すること。【解決手段】略袋状の本体１２は、表側本体１２Ｆと裏側本体１２Ｂとを有する。表側本体１２Ｆは、表側開口部（１２ＨＦ）を有し、裏側本体１２Ｂは、裏側開口部１２ＨＢを有する。本体１２は、基端ＰＥ方向に開口部１２ＯＰを有する。表側開口部１２ＨＦと裏側開口部１２ＨＢは、本体１２の基端ＰＥ側寄りで、本体１２の略中央に形成した翼付医療用針の保護部材１１。【選択図】図１
2015077196.tif 000002
【特許請求の範囲】
【請求項１】
略袋状の本体（１２）を有し、本体（１２）は、表側本体（１２Ｆ）と裏側本体（１２Ｂ）とを有し、
表側本体（１２Ｆ）は、表側開口部（１２ＨＦ）を有し、裏側本体（１２Ｂ）は、裏側開口部（１２ＨＢ）を有し、
前記本体（１２）は、基端ＰＥ方向に開口部（１２ＯＰ）を有し、
表側開口部（１２ＨＦ）と裏側開口部（１２ＨＢ）は、本体（１２）の基端ＰＥ側寄りで、本体（１２）の略中央に形成した、
ことを特徴とする翼付医療用針の保護部材（１１）。
【請求項２】
裏側本体（１２Ｂ）は、裏側開口部（１２ＨＢ）の近傍に、破断線（１２Ｍ）または切り欠き（１２Ｋ）を形成した、
ことを特徴とする請求項１に記載の翼付医療用針の保護部材（１１）。
【請求項３】
請求項１に記載の保護部材（１１）と翼付医療用針（１）とを有し、
翼付医療用針（１）は、針キャップ（２）と針基（３）を有し、当該針基（３）は、末端部（３ＤＥ）、本体（３Ｈ）、及び基端部（３ＰＥ）を有し、
前記針基（３）は、末端部（３ＤＥ）から本体（３Ｈ）にわたって針管（Ｎ）を植設し、
前記針基（３）は、基端部（３ＰＥ）に液体移送チューブ（Ｔ）の末端ＤＥ側を接続し、
前記針基（３）は、第３側部Ｓ３と第４側部Ｓ４方向に、翼部［５（５Ｓ３、５Ｓ４）］を突設し、
請求項１または請求項２に記載の保護部材（１１）を、
前記針キャップ（２）及び針キャップ（２）により覆った針管（Ｎ）は、保護部材（１１）の本体（１２）内に収納し、
また針管（Ｎ）を植設し、前記翼部[５（５Ｓ３、５Ｓ４）]を突設した針基（３）も、本体（１２）内に収納し、
前記翼部[５（５Ｓ３、５Ｓ４）]は、裏側開口部（１２ＨＢ）より、裏側Ｂ方向で、かつ第３側部Ｓ３、第４側部Ｓ４方向に、外側に突出し、
前記針基（３）の基端部（３ＰＥ）に接続した液体移送チューブ（Ｔ）は、基端側開口部（１２ＯＰ）より外に露出した、ことを特徴とする翼付医療用針（１）。
【請求項４】
基端側開口部（１２ＯＰ）は、液体移送チューブ（Ｔ）の第３側部Ｓ３または第４側部Ｓ４の少なくとも一箇所をシールし、シール部（ＳＥ）を少なくとも一箇所形成した、ことを特徴とする請求項３に記載の翼付医療用針（１）。
【請求項５】
前記保護部材（１１）の裏側本体（１２Ｂ）は、裏側開口部（１２ＨＢ）の基端ＰＥ側から基端側開口部（１２ＯＰ）にわたる箇所が、翼付医療用針（１）の翼（５）の基端ＰＥ側端部からヒンジ（５Ｈ）の基端ＰＥ側端部にわたる箇所によって、基端ＰＥ側に向けて移動する時の外圧を受けて引き裂かれ、これにより、引き裂き部（ＢＫ）が生成する、
ことを特徴とする請求項４または請求項５に記載の翼付医療用針（１）。
【請求項６】
保護部材（１１）は、破断した後、針キャップ（２）及び翼部[５（５Ｓ３、５Ｓ４）]の構成部材の一部が残らないように、翼付医療用針（１）から完全に離脱させることができる、
ことを特徴とする請求項４から請求項６のいずれか１項に記載の翼付医療用針（１）。
【発明の詳細な説明】
【技術分野】
【０００１】
本発明は、針キャップと、針管を植設した針基を有する医療用針において、その中で、針基に翼部を突設した翼付医療用針と、翼付医療用針用の保護部材に関する。
保護部材は、針キャップと針基の接合部のタンパープルーフ構造（
いたずら防止のために、一度開封したことが目視で確認できること）を改良したものである。
【背景技術】
【０００２】
出願人は特許文献１と特許文献２に、タンパープルーフ構造を有する医療用針を開示した。当該医療用針は、針キャップと針基の接合部の外周にプラスチック被膜を被覆したものである。
【０００３】
特許文献１と特許文献２に記載の発明は、針キャップの先端から、針キャップと針基の接合部の外周に至るまで、プラスチック被膜形成用のディッピング溶液に浸漬し、ディッピング溶液を乾燥させて、プラスチック被膜を被覆・形成するものである。
ところが最近、ユーザーにより、医療用針を患部に安定して固定するために、針基に固定用の翼を形成した医療用針が所望されるようになった。
【先行技術文献】
【特許文献】
【０００４】
【特許文献１】特許第３４８７９５３号公報（特許請求の範囲、図１〜図１２）
【特許文献２】特許第３５８７５０７号公報（特許請求の範囲、図１〜図３）
【発明の概要】
【発明が解決しようとする課題】
【０００５】
針基に固定用の翼を形成した医療用針（後述する図２参照）では、翼の末端側端部が針基の末端側近傍に配置され、針キャップの基端側端部は、翼の末端側端部（ヒンジの末端側端部）と接合する形態となっている。（図２中、ＪＴは接合部である）
このため特許文献１、２に記載の発明のように、接合部ＪＴにプラスチック被膜の被覆・形成が困難であった。接合部ＪＴに被膜を施しても、歪んだ形態となり均一な被膜を形成できない。
また針キャップの端部より破断した被膜の破断屑が出ると、針キャップの開封時のコンタミが問題視される。
また翼側に残った被膜の一部は、翼を畳んで針を穿刺する際に、翼を手で掴む際に、掴みにくくする可能性がある。
また被膜の破断個所や形状によっては、針の穿刺後、翼を腕に静置する際に違和感等を招くことが懸念される。
【課題を解決するための手段】
【０００６】
そこで本発明者は、以上の課題を解決するために鋭意検討を重ねた結果、次の発明に到達した。
［１］本発明は、略袋状の本体（１２）を有し、本体（１２）は、表側本体（１２Ｆ）と裏側本体（１２Ｂ）とを有し、
表側本体（１２Ｆ）は、表側開口部（１２ＨＦ）を有し、裏側本体（１２Ｂ）は、裏側開口部（１２ＨＢ）を有し、
前記本体（１２）は、基端ＰＥ方向に開口部（１２ＯＰ）を有し、
表側開口部（１２ＨＦ）と裏側開口部（１２ＨＢ）は、本体（１２）の基端ＰＥ側寄りで、本体（１２）の略中央に形成した翼付医療用針の保護部材（１１）を提供する。
［２］本発明は、裏側本体（１２Ｂ）は、裏側開口部（１２ＨＢ）の近傍に、破断線（１２Ｍ）または切り欠き（１２Ｋ）を形成した［１］に記載の翼付医療用針の保護部材（１１）を提供する。
【０００７】
［３］本発明は、[１]に記載の保護部材（１１）と翼付医療用針（１）とを有し、
翼付医療用針（１）は、針キャップ（２）と針基（３）を有し、当該針基（３）は、末端部（３ＤＥ）、本体（３Ｈ）、及び基端部（３ＰＥ）を有し、
前記針基（３）は、末端部（３ＤＥ）から本体（３Ｈ）にわたって針管（Ｎ）を植設し、
前記針基（３）は、基端部（３ＰＥ）に液体移送チューブ（Ｔ）の末端ＤＥ側を接続し、
前記針基（３）は、第３側部Ｓ３と第４側部Ｓ４方向に、翼部［５（５Ｓ３、５Ｓ４）］を突設し、
[１]または[２]に記載の保護部材（１１）を、
前記針キャップ（２）及び針キャップ（２）により覆った針管（Ｎ）は、保護部材（１１）の本体（１２）内に収納し、
また針管（Ｎ）を植設し、前記翼部[５（５Ｓ３、５Ｓ４）]を突設した針基（３）も、本体（１２）内に収納し、
前記翼部[５（５Ｓ３、５Ｓ４）]は、裏側開口部（１２ＨＢ）より、裏側Ｂ方向で、かつ第３側部Ｓ３、第４側部Ｓ４方向に、外側に突出し、
前記針基（３）の基端部（３ＰＥ）に接続した液体移送チューブ（Ｔ）は、基端側開口部（１２ＯＰ）より外に露出した翼付医療用針（１）を提供する。
【０００８】
［４］本発明は、基端側開口部（１２ＯＰ）は、液体移送チューブ（Ｔ）の第３側部Ｓ３または第４側部Ｓ４の少なくとも一箇所をシールし、シール部（ＳＥ）を少なくとも一箇所形成した［３］に記載の翼付医療用針（１）を提供する。
［５］本発明は、前記保護部材（１１）の裏側本体（１２Ｂ）は、裏側開口部（１２ＨＢ）の基端ＰＥ側から基端側開口部（１２ＯＰ）にわたる箇所が、翼付医療用針（１）の翼（５）の基端ＰＥ側端部からヒンジ（５Ｈ）の基端ＰＥ側端部にわたる箇所によって、基端ＰＥ側に向けて移動する時の外圧を受けて引き裂かれ、
これにより、引き裂き部（ＢＫ）が生成する[４]または［５］に記載の翼付医療用針（１）を提供する。
［６］本発明は、保護部材（１１）は、破断した後、針キャップ（２）及び翼部[５（５Ｓ３、５Ｓ４）]の構成部材の一部が残らないように、翼付医療用針（１）から完全に離脱させることができる［４］から［６］のいずれか１項に記載の翼付医療用針（１）を提供する。
【発明の効果】
【０００９】
本発明の保護部材１２と保護部材１２を装着した翼付医療用針１は、
〈１〉保護部材１２は、翼付医療用針１への装着が容易で、保護部材１２を取り外した後、特許文献１、２に記載の発明のように、破断した保護部材１２（特許文献１、２に記載の発明では被膜）が針キャップ側にも翼側（特許文献１、２に記載の発明では針基）にも残らない。
〈２〉〈１〉により、針キャップの開封時の破断屑の発生がなく、衛生的である。
〈３〉〈１〉により、翼を畳んで針を穿刺する際の操作性の良さが保障される。
という有利な作用効果を奏することができる。
【図面の簡単な説明】
【００１０】
【図１】図１は、本発明の翼付医療用針１に装着する保護部材１１を、第１側部Ｓ１方向（表ＦＳ方向）から見た概略図である。
【図２】図２は、保護部材１１を装着していない翼付医療用針１を第１側部Ｓ１方向（表ＦＳ方向）から見た概略図である。
【図３】図３は、翼付医療用針１に保護部材１１を装着するところで、保護部材１１は第２側部Ｓ２方向（裏ＢＳ方向）、翼付医療用針１は第１側部Ｓ１方向（表ＦＳ方向）から見た概略図である。（翼付医療用針１の方向は、以下、図４〜図８、図１０〜図１２も同じ）
【図４】図４は、針キャップ２を本体１２内に挿入したところで、保護部材１１を基端ＰＥ側で、かつ第２側部Ｓ２方向（裏ＢＳ方向）から見た概略図である。
【図５】図５は、翼部５Ｓ３、５Ｓ４を折り畳んで、本体１２内に挿入するところで、保護部材１１を基端ＰＥ側で、かつ第２側部Ｓ２方向（裏ＢＳ方向）から見た概略図である。
【図６】図６は、翼部５Ｓ３、５Ｓ４を本体１２の裏側開口部１２ＨＢより外に引き出したところで、保護部材１１を基端ＰＥ側で、かつ第２側部Ｓ２方向（裏ＢＳ方向）から見た概略図である。
【図７】図７は、保護部材１１を翼付医療用針１に装着したところで、第２側部Ｓ２方向（裏ＢＳ方向）から見た概略図である。
【図８】図８は、保護部材１１を翼付医療用針１に装着したところで、第２側部Ｓ２方向（裏ＢＳ方向）から見た概略図である。図７を角度を変えて見たところの概略図である。
【図９】図９は、保護部材１１を翼付医療用針１に装着したところで、第１側部Ｓ１方向（表ＦＳ方向）から見た概略図である。
【図１０】図１０は、保護部材１１を翼付医療用針１から取り外すところの開封初期状態を、第２側部Ｓ２方向（裏ＢＳ方向）から見た概略図である。
【図１１】図１１は、保護部材１１を翼付医療用針１から取り外す途中で、開封の途中の状態を、第２側部Ｓ２方向（裏ＢＳ方向）から見た概略図である。
【図１２】図１２は、保護部材１１を翼付医療用針１から取り外し終えた、開封終了の状態を、第２側部Ｓ２方向（裏ＢＳ方向）から見た概略図である。
【図１３】図１３は、保護部材１１を翼付医療用針１から取り外し終えた、開封終了の状態を、第２側部Ｓ２方向（裏ＢＳ方向）から見た概略図である。
【図１４】図１４は、保護部材１１のその他の実施例で、裏ＢＳ方向から見た概略図である。
【発明を実施するための最良の形態】
【００１１】
本発明の翼付医療用針１と保護部材１１の理解を容易にするため、以下の定義をおく。
本発明の請求項、発明の説明に付した符号は、本発明の翼付医療用針１の理解を容易にするために記載したものであり、符号そのものが発明を特定するものではない。
本発明の翼付医療用針１と保護部材１１は、長手Ｌ方向と、当該長手Ｌ方向に略垂直に交差する側部Ｓ方向（「長手」に対して「短い」方向を意味する）を有する。
本発明で、「末端ＤＥ（側または方向）」とは、長手Ｌ方向の一方向を示し、図１では、
基端側開口部１２ＯＰと反対側の端部を意味する。図２では、針管Ｎ側の端部を意味する。
【００１２】
本発明で、「基端ＰＥ（側または方向）」とは、長手Ｌ方向の一方向を示し、図１では、
基端側開口部１２ＯＰと同じ側の端部を意味する。図２では、「末端ＤＥ（側または方向）」とは反対側の端部、すなわち液体移送チューブＴ側の端部を意味する。
【００１３】
本発明で、「表ＦＳ（側または方向）」、または「第１側部Ｓ１（側または方向）」とは、側部Ｓ方向の一方向を示し、図１、図２では、正面側の方向を意味する。
本発明で、「裏ＢＳ（側または方向）」、または「第２側部Ｓ２（側または方向）」とは、側部Ｓ方向の一方向を示し、図１、図２では、正面側の方向とは反対の方向、すなわち背面側の方向を意味する。
【００１４】
本発明で、「第３側部Ｓ３（側または方向）」とは、側部Ｓ方向の一方向を示し、例えば図１では、右斜目上側の方向を意味する。図２では上側の方向を意味する。
本発明で、「第４側部Ｓ４（側または方向）とは、側部Ｓ方向の一方向を示し、図１では、左斜目下側の方向を意味する。図７では下部Ｄ側の方向を意味する。
【００１５】
本発明の説明で、「任意の部材（部品）」を「有する」とは、すくなくともその「任意の部材（部品）」を「持つ」、「含む」等と実質的に同じ意味である。
本発明の説明で、特に説明がない場合は「任意の部材（部品）」に「開口」を「形成」しているとは、「任意の部材（部品）」の少なくとも任意の位置に、任意の形態の「開口」をすくなくとも一箇所形成していればよいことを意味する。
本発明の説明で、「任意の部材（部品）」の一端部に「他の部材（部品）」を「形成」しているとは、「接続」、「連結」、「延設」、「突設」、「配置」等と実質的に同じ意味である。
本発明の説明で、例えば翼５の場合、第３側部Ｓ３側の翼５は５Ｓ３、第４側部Ｓ４側の翼５は５Ｓ４と記載する場合がある。単に翼５、翼５（５Ｓ３、５Ｓ４）と記載する場合がある。
その他の部材（部品）の場合も同じである。
【００１６】
[保護部材１１]
保護部材１１は、いわゆる「略袋状」（単に「袋」ともいう）の本体１２を有する。当該本体１２は、後述するように、翼付採血針１の翼部５（５Ｓ３、５Ｓ４）、ヒンジ５Ｈ（５ＨＳ３、５ＨＳ４）により、引き裂くことが可能な材料により形成している。
本体１２は、表側本体１２Ｆと裏側本体１２Ｂとを有する。表側本体１２Ｆは、表側開口部１２ＨＦを有する。裏側本体１２Ｂは、裏側開口部１２ＨＢを有する。
【００１７】
本体１２は、基端ＰＥ方向に開口部１２ＯＰを有する。
本体１２の末端ＤＥ側は閉じている。
本体１２の第３側部Ｓ３方向及び第４側部Ｓ４方向も閉じている。例えば図１に示すようにシール部１２（１２Ｓ３、１２Ｓ４）により閉じている。
【００１８】
表側開口部１２ＨＦと裏側開口部１２ＨＢとは、本体１２の基端ＰＥ側寄りで、本体１２の略中央に形成している。
表側開口部１２ＨＦと裏側開口部１２ＨＢとは、いわゆる「略円状」に形成しているが、
いわゆる「略楕円状」、「略矩形状」に形成しても良い。
少なくとも裏側開口部１２ＨＢの大きさは、後述するように翼付医療用針１の翼部５（５Ｓ３、５Ｓ４）を、本体１２内から外に引き出すことができる程度に形成されていれば良い。
また裏側本体１２Ｂは、裏側開口部１２ＨＢの近傍に、図３に示すように後述する引き裂き用の誘いとして、破断線１２Ｍ（ミシン目ともいう）を引き裂き方向に沿うように形成している。破断線１２Ｍを設けることにより、操作が容易で引き裂き後の見かけもよくなる。
【００１９】
翼付医療用針１は、針基３を有する。
針基３は、末端部３ＤＥ、本体３Ｈ、基端部３ＰＥを有する。
末端部３ＤＥと基端部３ＰＥは、本体３Ｈより細径になっている。
針基３は、末端部３ＤＥから本体３Ｈにわたって針管Ｎを植設している。
針基３は、基端部３ＰＥ（の外周）に液体移送チューブＴの末端ＤＥ側を接続している。
針基３は、第３側部Ｓ３と第４側部Ｓ４方向に、いわゆる翼部５Ｓ３、５Ｓ４を突設している。
【００２０】
針基３（３Ｓ３、３Ｓ４）と、翼部５（５Ｓ３、５Ｓ４）とは、ヒンジ５Ｈ（５ＨＳ３、５ＨＳ４）により繋がっている。
針キャップ２の基端ＰＥ側端部は、針基３の末端部３ＤＥ側端部と接合している。
ここで接合とは、機械を使用した圧入、熱（高圧蒸気滅菌含む）による収縮、接着剤、溶剤等による接着等を意味する。要するに作業者が意識して外そうとしない限り、針キャップ２が針基３から容易に外れない状態を意味する。
翼部５（５Ｓ３、５Ｓ４）の長手Ｌ方向の末端ＤＥ側は、針キャップ２と針基３との接合部ＪＴ近傍まで接近して配置している。
針キャップ２の基端ＰＥ側端部は、翼部５（５Ｓ３、５Ｓ４）の長手Ｌ方向の末端ＤＥ側端部、厳密にいえばヒンジ５Ｈ（５ＨＳ３、５ＨＳ４）の長手Ｌ方向の末端ＤＥ側端部に突き当たっている。
【００２１】
保護部材１１は、以下のように、翼付医療用針１に装着している。
図７、図８に示すように、針キャップ２及び針キャップ２により覆った針管Ｎは、保護部材１１の本体１２内に収納している。針管Ｎの末端ＤＥ側の刃面は、表ＦＳ側に配置している。
また針管Ｎを植設し、翼部５（５Ｓ３、５Ｓ４）を突設した針基３も、末端部３ＤＥから本体３Ｈ、さらに基端部３ＰＥにわたって、本体１２内に収納している。
【００２２】
図７、図８に示すように、翼部５（５Ｓ３、５Ｓ４）は、裏側開口部１２ＨＢより、裏Ｂ側方向で、かつ第３側部Ｓ３、第４側部Ｓ４方向に、外側に突出している。
針基３の基端部３ＰＥ（の外周）に接続した液体移送チューブＴは、基端側開口部１２ＯＰより外に露出している。
図９に示すように、表側本体１２Ｆの表側開口部１２ＨＦからは、翼付医療用針１の針基３の表ＦＳ側の一部のみが露出している。
【００２３】
保護部材１１を翼付医療用針１に装着する方法の一例について説明する。
図３、図４に示すように、翼付医療用針１の針キャップ２（及び針キャップ２により覆った針管Ｎの末端ＤＥ側）を、保護部材１１の基端ＰＥ側の開口部１２ＯＰより本体１２内に挿入する。
図５に示すように、翼部５Ｓ３、５Ｓ４を、一時的に針基３側に畳んで、開口部１２ＯＰより本体１２内に挿入する。
さらに図６に示すように、本体１２の裏側開口部１２ＨＢより外に引き出す。
さらに保護部材１１を基端ＰＥ側に移動させる。（または翼付医療用針１の末端ＤＥ側を本体１２内に移動させる。）
【００２４】
図７に示すように、翼付医療用針１の針キャップ２（針キャップ２により覆った針管Ｎ）及び針基３並びに液体移送チューブＴの末端ＤＥ側は、本体１２内に収納される。
翼付医療用針１の翼部５Ｓ３、５Ｓ４のみが、裏側開口部１２ＨＢより、裏Ｂ側方向で、かつ第３側部Ｓ３、第４側部Ｓ４方向に、突出した状態となる。
保護部材１１を以上のように装着した翼付医療用針１は、針キャップ２の基端ＰＥ側端部と針基３の末端部３ＤＥ側端部との接合部ＪＴは、保護部材１１により外部から覆われる。
【００２５】
保護部材１１の基端ＰＥ側を破断する（引き裂く）ことなく、保護部材１１のみがそのままの形態で翼付医療用針１から外れる（引き抜かれる）のを確実に防止するために、図７から図９に示すように、基端側開口部１２ＯＰは、液体移送チューブＴの第３側部Ｓ３及び第４側部Ｓ４のそれぞれ一箇所をシールし、シール部ＳＥを二箇所形成している。
このようにシール部ＳＥを形成することにより、後述するように翼付採血針１を保護部材１１から基端ＰＥ方向に引き抜く時に、翼付採血針１は確実に保護部材１１の破断線１２Ｍを引き裂くようにして引き抜くことができる。
図７から図９の例では、シール部ＳＥを二箇所形成しているが、シール部ＳＥは、液体移送チューブＴの第３側部Ｓ３または第４側部Ｓ４のどちらかに少なくとも一箇所形成すれば、十分に前記目的を達成することができる。
【００２６】
使用に際しては、図１０に示すように、保護部材１１の末端ＤＥ側を片手で固定し、他方の手で翼部５Ｓ３、５Ｓ４を針基３側に折り畳むように掴んで、基端ＰＥ方向に引く。
保護部材１１の裏側本体１２Ｂは、裏側開口部１２ＨＢの基端ＰＥ側から基端側開口部１２ＯＰにわたる箇所が、翼付採血針１の翼５の基端ＰＥ側端部からヒンジ５Ｈの基端ＰＥ側端部にわたる箇所より、基端ＰＥ側に向けて移動する時の外圧を受けて引き裂かれる。（図１１参照、図１１では翼部５Ｓ３、５Ｓ４は開いているが、実際には図１０と同様の状態が好ましい）これにより、引き裂き部ＢＫ（図１２、１３参照）が生成する。（図１１の状態で引き裂き部ＢＫでは既に生成している。）この時翼付採血針１は表ＦＳ側を向いている。
以上、図３から図１３までは、第２側部Ｓ２方向（裏ＢＳ方向）の保護部材１１を、第１側部Ｓ１方向（表ＦＳ方向）の翼付医療用針１を装着し、開封する例について説明したが、第２側部Ｓ２方向（裏ＢＳ方向）の保護部材１１を、第２側部Ｓ２方向（裏ＢＳ方向）の翼付医療用針１を装着し、開封するようにしても良い。この場合、針管Ｎの末端ＤＥ側の刃面は、表ＦＳ側に配置しているので、翼付採血針１を使用するときは、裏ＢＳ側から表ＦＳ側に反転させて使用する。
【００２７】
保護部材１１は、前記のように一度開封すると破断線１２Ｍに沿って破断するので、スペース（引き裂き部ＢＫ）が生成し、使用後の状態が識別可能である。
裏側本体１２Ｂは、引き裂き用の誘いとして、裏側開口部１２ＨＢの近傍に、図３では、破断線１２Ｍを形成したが、図１４に示すように切り欠き１２Ｋを形成してもよい。
【００２８】
本発明に使用する保護部材１１は、前記のように、翼付採血針１に装着したときに、針キャップ２と翼５を固定することができるものであれば何でも良い。
例えばポリオレフィン、ポリ塩化ビニル、ポリテトラフルオロエチレン等が挙げられる。
【符号の説明】
【００２９】
１  翼付採血針
２  針キャップ  
３  針基
３ＤＥ  末端部
３Ｈ  本体
３ＰＥ  基端部
Ｎ  針管
５  翼
５Ｈ  ヒンジ
１１  保護部材
１２  本体
１２Ｆ  表側本体
１２Ｂ  裏側本体
１２ＨＦ  表側開口部
１２ＨＢ  裏側開口部
１２ＯＰ  基端側開口部
１２Ｓ  シール部
１２Ｍ  破断線
１２Ｋ  切り欠き
ＳＥ  シール部
Ｔ  液体移送チューブ
Ｌ  長手方向
ＰＥ  基端
ＤＥ  末端
Ｓ  側部方向
ＦＳ  表側方向
ＢＳ  裏側方向
Ｓ１  第１側部
Ｓ２  第２側部
Ｓ３  第３側部
Ｓ４  第４側部
【図１】
2015077196.tif 000003
【図２】
2015077196.tif 000004
【図３】
2015077196.tif 000005
【図４】
2015077196.tif 000006
【図５】
2015077196.tif 000007
【図６】
2015077196.tif 000008
【図７】
2015077196.tif 000009
【図８】
2015077196.tif 000010
【図９】
2015077196.tif 000011
【図１０】
2015077196.tif 000012
【図１１】
2015077196.tif 000013
【図１２】
2015077196.tif 000014
【図１３】
2015077196.tif 000015
【図１４】
2015077196.tif 000016